(57)【要約】【課題】情報提供装置の設定操作を確実に簡単化する。【解決手段】補助装置１４０において、ショートカット作成部１４４は、情報提供装置のリモートコントローラに対する操作履歴に基づいて、曜日及び時間毎に、連続する複数の操作からなる設定指示をショートカットとして作成する。ショートカット表示部１４６は、ショートカット作成部１４４が作成したショートカットのうちの、現在の曜日における現在の時間を含む所定長の期間内の各ショートカットを、リモートコントローラを介してユーザにより指定可能に表示する。ショートカット実行部１４８は、ショートカット表示部１４６に表示されたいずれかのショートカットが指定された際に、該ショートカットに対応する設定指示に応じた処理を情報提供装置に行わせる。【選択図】図２
2015053642.tif 000002
【特許請求の範囲】
【請求項１】
視聴情報の提供を含む処理を行う情報提供装置と、
前記情報提供装置のリモートコントローラと、
前記情報提供装置のいずれか一方に設けられ、前記情報提供装置に対する設定操作を補助する補助装置とを備え、
前記補助装置は、
前記リモートコントローラに対する操作の履歴に基づいて、曜日及び時間毎に、連続する複数の前記操作からなる設定指示をショートカットとして作成するショートカット作成部と、
前記ショートカット作成部が作成したショートカットのうちの、現在の曜日における現在の時間を含む所定長の期間内の各ショートカットを、前記リモートコントローラを介してユーザにより指定可能に表示するシートカット表示部と、
前記ショートカット表示部に表示された前記ショートカットが指定された際に、該ショートカットに対応する前記設定指示に応じた処理を前記情報提供装置に行わせるショートカット実行部とを有する、
情報システム。
【請求項２】
前記ショートカット実行部は、
前記リモートコントローラに設けられており、
前記ショートカット表示部に表示された前記ショートカットが指定された際に、該ショートカットに対応する前記設定指示を前記情報提供装置に送信することにより、該設定指示に応じた処理を前記情報提供装置に行わせる、
請求項１に記載の情報システム。
【請求項３】
前記ショートカット表示部は、
前記情報提供装置に設けられており、前記情報提供装置の表示装置である、
請求項１または２に記載の情報システム。
【請求項４】
前記ショートカット作成部は、さらに、前記リモートコントローラに対する操作の履歴に基づいて、前記情報提供装置により提供される情報のジャンル毎に、該ジャンルの情報が提供されているときの設定指示を示すショートカットを作成し、
前記シートカット表示部は、さらに、現在提供されている情報のジャンルに対応する前記ショートカットを、前記リモートコントローラを介してユーザにより指定可能に表示する、
請求項１から３のいずれか１項に記載の情報システム。
【請求項５】
前記ショートカット作成部は、
同一の曜日及び時間に対応するショートカットが複数ある場合に、または、同一のジャンルに対応するショートカットが複数ある場合に、
複数の前記ショートカットのうちの、指定された回数が多いものほど、または指定された時期が新しいものほどを優先的に前記シートカット表示部に表示させる、
請求項１から４のいずれか１項に記載の情報システム。
【請求項６】
前記情報提供装置は、テレビ機を含む、
請求項１から５のいずれか１項に記載の情報システム。
【請求項７】
視聴情報の提供を含む処理を行う情報提供装置のリモートコントローラであって、
前記リモートコントローラに対する操作の履歴に基づいて、曜日及び時間毎に、連続する複数の前記操作からなる設定指示をショートカットとして作成するショートカット作成部と、
前記ショートカット作成部が作成したショートカットのうちの、現在の曜日における現在の時間を含む所定長の期間内の各ショートカットを、ユーザにより指定可能に表示するシートカット表示部と、
前記ショートカット表示部に表示されたショートカットが指定された際に、該ショートカットに対応する前記設定指示を前記情報提供装置に送信することにより、該設定指示に応じた処理を前記情報処理装置に行わせるショートカット実行部とを有する、
リモートコントローラ。
【請求項８】
前記ショートカット表示部は、表示対象の前記ショートカットを前記情報提供装置の表示装置に表示させる、
請求項７に記載のリモートコントローラ。
【請求項９】
前記ショートカット作成部は、さらに、前記リモートコントローラに対する操作の履歴に基づいて、前記情報提供装置により提供される情報のジャンル毎に、該ジャンルの情報が提供されているときの設定指示を示すショートカットを作成し、
前記シートカット表示部は、さらに、前記情報提供装置により現在提供されている情報のジャンルに対応する前記ショートカットをユーザにより指定可能に表示する、
請求項７または８に記載のリモートコントローラ。
【請求項１０】
同一の曜日及び時間に対応するショートカットが複数ある場合に、または、同一のジャンルに対応するショートカットが複数ある場合に、
前記ショートカット作成部は、
複数の前記ショートカットのうちの、指定された回数が多いものほど、または指定された時期が新しいものほどを優先的に前記ショートカット表示部に表示させる、
請求項７から９のいずれか１項に記載のリモートコントローラ。
【請求項１１】
リモートコントローラにより制御され、視聴情報提供を含む処理を行う情報提供装置であって、
前記リモートコントローラに対する操作履歴に基づいて、曜日及び時間毎に、連続する複数の前記操作からなる設定指示をショートカットとして作成するショートカット作成部と、
前記ショートカット作成部が作成したショートカットのうちの、現在の曜日における現在の時間を含む所定長の期間内の各ショートカットを、前記リモートコントローラを介してユーザにより指定可能に表示するシートカット表示部と、
前記ショートカット表示部に表示された前記ショートカットが指定された際に、該ショートカットに対応する前記設定指示に応じた処理を実行するショートカット実行部とを有する、
情報提供装置。
【請求項１２】
前記ショートカット作成部は、さらに、前記リモートコントローラに対する操作の履歴に基づいて、前記情報提供装置により提供される情報のジャンル毎に、該ジャンルの情報が提供されているときの設定指示を示すショートカットを作成し、
前記シートカット表示部は、さらに、前記情報提供装置により現在提供されている情報のジャンルに対応する前記ショートカットを、前記リモートコントローラを介してユーザにより指定可能に表示する、
請求項１１に記載の情報提供装置。
【請求項１３】
同一の曜日及び時間に対応するショートカットが複数ある場合に、または、同一のジャンルに対応するショートカットが複数ある場合に、
前記ショートカット作成部は、
複数の前記ショートカットのうちの、指定された回数が多いものほど、または指定された時期が新しいものほどを優先的に前記ショートカット表示部に表示させる、
請求項１１または１２に記載の情報提供装置。
【請求項１４】
テレビ機を含む、請求項１１から１３のいずれか１項に記載も情報提供装置。
【発明の詳細な説明】
【技術分野】
【０００１】
本発明は、情報提供装置を制御するリモートコントローラの操作を補助する技術に関する。
【背景技術】
【０００２】
近年、視聴情報を提供するテレビ機などの情報提供装置に対して、チャンネルの選択などの設定操作のメニューが深層化し、１つの設定をするために複数の操作ステップを要することが多くなっている。
【０００３】
また、これらの情報提供装置の多機能化も進んでいる。例えば、テレビ機は、もはや、テレビ放送を視聴するだけのためのものではなく、レコーダが内蔵され、番組を録画可能なものもある。このような情報提供装置の多機能化により、情報提供装置の設定操作のメニューをより深層化させている。
【０００４】
情報提供装置は、通常、ユーザが操作するリモートコントローラにより制御される。情報提供装置の設定操作のメニューの深層化により、ユーザが所望の設定を情報提供装置に行うために、リモートコントローラに対して複数回の操作を行うことが多々ある。
【０００５】
このような背景において、ユーザを補助して、情報提供装置に対する設定操作を簡単化する技術が種々提案されている。
【０００６】
例えば、特許文献１に開示された技術では、ユーザにより、複数の操作処理を組み合せた内容を示すユーザマクロを予め制御装置（リモートコントローラに該当する）に予め登録しておき、その後、該ユーザマクロを一度実行するだけで、それに含まれる複数の操作処理を実現することができる。また、該技術では、上記ユーザマクロの登録がユーザ別に行うことが可能であり、制御装置を操作するユーザは、自分のユーザマクロを選択して実行することができる。
【先行技術文献】
【特許文献】
【０００７】
【特許文献１】特開２０１１−２２９１３５号公報
【発明の概要】
【発明が解決しようとする課題】
【０００８】
しかし、特許文献１に開示された技術では、ユーザマクロの登録は、ユーザにより予め行う必要があり、不便である。
【０００９】
また、複数のユーザが存在する場合、現在のユーザを特定するための操作や処理などが増え、設定処理の簡単化の効果を弱めてしまうという問題もある。
【００１０】
本発明は、上記事情に鑑みてなされたものであり、情報提供装置の設定操作を確実に簡単化する技術を提供する。
【課題を解決するための手段】
【００１１】
本発明の１つの態様は、情報システムである。該情報システムは、視聴情報の提供を含む処理を行う情報提供装置と、前記情報提供装置のリモートコントローラと、前記情報提供装置と前記リモートコントローラのいずれか一方に設けられ、前記情報提供装置に対する設定操作を補助する補助装置とを備える。
【００１２】
前記補助装置は、ショートカット作成部と、ショートカット表示部と、ショートカット実行部とを有する。
【００１３】
ショートカット作成部は、前記リモートコントローラに対する操作の履歴に基づいて、曜日及び時間毎に、連続する複数の前記操作からなる設定指示をショートカットとして作成する。
【００１４】
ショートカット表示部は、前記ショートカット作成部が作成したショートカットのうちの、現在の曜日における現在の時間を含む所定長の期間内の各ショートカットを、前記リモートコントローラを介してユーザにより指定可能に表示する。
【００１５】
ショートカット実行部は、前記ショートカット表示部に表示された前記ショートカットが指定された際に、該ショートカットに対応する前記設定指示に応じた処理を前記情報提供装置に行わせる。
【００１６】
なお、上記態様のシステムを方法に置き換えて表現したものや、該システムに含まれる情報提供装置及びリモートコントローラ、及びコンピュータをこれらの装置のいずれか１つとして動作せしめるプログラムなども、本発明の態様としては有効である。
【発明の効果】
【００１７】
本発明にかかる技術によれば、情報提供装置の設定操作を確実に簡単化することができる。
【図面の簡単な説明】
【００１８】
【図１】第１の実施の形態にかかる情報システムを示す図である。
【図２】図１に示す情報システムにおけるリモートコントローラに含まれる補助装置を示す図である。
【図３】操作履歴の例を示す図である。
【図４】第１のショートカットリストの例を示す図である。
【図５】第２のショートカットリストの例を示す図である。
【図６】リモートコントローラの状態を示す図である（その１）。
【図７】リモートコントローラの状態を示す図である（その２）。
【図８】リモートコントローラの状態を示す図である（その３）
【発明を実施するための形態】
【００１９】
以下、図面を参照して本発明の実施の形態について説明する。説明の明確化のため、以下の記載及び図面は、適宜、省略、及び簡略化がなされている。また、様々な処理を行う機能ブロックとして図面に記載される各要素は、ハードウェアとソフトウェア（プログラム）の組合せによっていろいろな形で実現できることは当業者には理解されるところであり、ハードウェアとソフトウェアのいずれかに限定されるものではない。なお、各図面において、同一の要素には同一の符号が付されており、必要に応じて重複説明は省略されている。
【００２０】
また、上述したプログラムは、様々なタイプの非一時的なコンピュータ可読媒体（ｎｏｎ−ｔｒａｎｓｉｔｏｒｙ  ｃｏｍｐｕｔｅｒ  ｒｅａｄａｂｌｅ  ｍｅｄｉｕｍ）を用いて格納され、コンピュータに供給することができる。非一時的なコンピュータ可読媒体は、様々なタイプの実体のある記録媒体（ｔａｎｇｉｂｌｅ  ｓｔｏｒａｇｅ  ｍｅｄｉｕｍ）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Ｒｅａｄ  Ｏｎｌｙ  Ｍｅｍｏｒｙ）ＣＤ−Ｒ、ＣＤ−Ｒ／Ｗ、半導体メモリ（例えば、マスクＲＯＭ、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、フラッシュＲＯＭ、ＲＡＭ（Ｒａｎｄｏｍ  Ａｃｃｅｓｓ  Ｍｅｍｏｒｙ））を含む。また、プログラムは、様々なタイプの一時的なコンピュータ可読媒体（ｔｒａｎｓｉｔｏｒｙ  ｃｏｍｐｕｔｅｒ  ｒｅａｄａｂｌｅ  ｍｅｄｉｕｍ）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００２１】
＜第１の実施の形態＞
図１は、第１の実施の形態にかかる情報システム１００を示す。情報システム１００は、情報提供装置１１０とリモートコントローラ１２０を備える。情報提供装置１１０とリモートコントローラ１２０は、赤外線などの図示しない短距離無線通信手段により、情報の送受信が可能である。
【００２２】
本実施の形態において、情報提供装置１１０は、録画機能を有するテレビ機であり、レコーダ１１２が内蔵されている。すなわち、情報提供装置１１０は、テレビ番組の視聴情報を提供する以外に、録画することもできる。
【００２３】
リモートコントローラ１２０は、情報提供装置１１０の電源をオンするための電源オンボタン１２２、情報提供装置１１０の電源をオフするための電源オフボタン１２４、複数の操作ボタン１２６、液晶パネル１３０を備える。
【００２４】
複数の電源オンボタン１２２は、従来のこの種のリモートコントローラに備えられた、設定メニューの表示、チャネルの選択設定、情報提供装置１１０の画質設定、字幕表示設定、録画のオン／オフなどの操作をするためのものである。
【００２５】
液晶パネル１３０は、種々の情報を表示することができると共に、ユーザのタッチ操作を受け付けることもできる。本実施の形態において、液晶パネル１３０は、後述するショートカット表示部１４６を兼ねている。
【００２６】
本実施の形態において、リモートコントローラ１２０は、情報提供装置１１０に対する設定操作を補助する補助装置１４０が設けられている。図１は、リモートコントローラ１２０の外観のみを示し、補助装置１４０の全貌を示していない。ここで、図２を参照して、補助装置１４０を説明する。
【００２７】
図２に示すように、リモートコントローラ１２０に設けられた補助装置１４０は、操作履歴記憶部１４２、ショートカット作成部１４４、ショートカット表示部１４６、ショートカット実行部１４８を有する。
【００２８】
操作履歴記憶部１４２は、ユーザによるリモートコントローラ１２０の操作履歴を逐次記憶する。この操作履歴は、例えば、曜日及び時刻に対応付けられた操作の内容を含む。
【００２９】
ショートカット作成部１４４は、操作履歴記憶部１４２に記憶された操作の履歴に基づいて、曜日及び時間毎に、連続する複数の操作からなる設定指示をショートカットとして作成して、曜日及び時間に対応付けて保持する。さらに、ショートカット作成部１４４は、作成して保持した各ショートカットについて、ユーザにより選択された回数、選択された時間を含むショートカット選択履歴も記録する。
【００３０】
ショートカット表示部１４６は、ショートカット作成部１４４に保持されているショートカットのうちの、現在の曜日における現在の時間を含む所定長の期間内の各ショートカットを表示する。この所定の期間は、現在の時間の前及び／または後の所定長の期間を意味し、本実施の形態においては、例として、この所定の期間を、現在の時間の１０分前の時刻から、現在の時間の１時間後の時刻までの期間とする。そのため、ショートカット表示部１４６は、ショートカット作成部１４４に保持されているショートカットのうちの、現在の曜日における現在の時間の１０分前から１時間後までの１時間１０分内の各ショートカットを表示する。
【００３１】
なお、前述したように、本実施の形態において、液晶パネル１３０がこのショートカット表示部１４６を兼ねており、ユーザは、液晶パネル１３０に表示された各ショートカットのいずれか１つをタッチすることにより該ショートカットを指定することができる。
【００３２】
ショートカット実行部１４８は、ショートカット表示部１４６（ここでは液晶パネル１３０）に表示されたいずれかのショートカットがユーザにより指定されたときに、該ショートカットに対応する設定指示を、図示しない通信手段を介して情報提供装置１１０に送信することにより、該設定指示に応じた処理を情報提供装置１１０に実行させる。
【００３３】
具体例を挙げながら、補助装置１４０をより詳細に説明する。
図３の左部は、１つの家庭において、ある月曜日に、リモートコントローラ１２０における補助装置１４０の操作履歴記憶部１４２が記録した操作履歴の例を示す。なお、図３の右部には「操作者」を示しているが、これは、操作履歴記憶部１４２が記録した操作履歴に含まれていない。
【００３４】
時刻順に説明する。
該月曜日の朝６時に、母親は、リモートコントローラ１２０を操作して、情報提供装置１１０の電源をオンして、主婦向け番組を放送するチャンネル１を選択する。また、母親は、自分の習慣上、この種の番組を視聴する際に字幕を見たいため、字幕が表示されるように設定を行う。
【００３５】
図示のように、字幕を表示させるために、「設定メニューを開く」、「[字幕設定]を選択」、「［字幕オン］を選択」、「設定メニューを閉じる」の複数の操作が必要である。
【００３６】
その後、７時１５分まで、リモートコントローラ１２０に対する操作が行われていない。７時１５分に、父親は、ニュース番組を視聴するために、ニュース番組を放送するチャネル２を選択する。
【００３７】
８時に、子供は、幼児向け番組を視聴するためにチャネル３を選択する。また、子供は、字幕が邪魔であるため、字幕を表示しない設定をする。図示のように、字幕を表示させないようにするために、「設定メニューを開く」、「[字幕設定]を選択」、「［字幕オフ］を選択」、「設定メニューを閉じる」の複数の操作が必要である。
【００３８】
９時に、全員が外出するため、母親は、情報提供装置１１０の電源をオフする。
１４時に、子供は、学校から帰宅し、情報提供装置１１０の電源をオンすると共に、最新に録画した番組（幼児向け番組）を視聴するために、録画リストを開き、最新に録画した番組を選択し、「再生」を選択する。
【００３９】
そして、子供は、１６時に情報提供装置１１０の電源をオフする。
２１時に、父親は、海外ニュース番組を視聴するために、情報提供装置１１０の電源をオンすると共に、チャネル４を選択する。また、父親は、英語で海外ニュースを視聴したいため、「設定メニューを開く」、「[音声設定]を選択」、「［副音声オン］を選択」、「設定メニューを閉じる」の複数の操作を経て、音声を英語に設定する。
【００４０】
そして、２２時に、父親は、情報提供装置１１０の電源をオフする。これは、該月曜日において、情報提供装置１１０に対する最後の操作である。
【００４１】
ショートカット表示部１４６は、ショートカット作成部１４４によりこのようにして記録した操作履歴に基づいて、ショートカットのリストを作成する。本実施の形態において、ショートカット表示部１４６は、曜日及び時間毎のショートカットからなる第１のシートカットリストと、ジャンネル毎のショートカットからなる第２のショートカットリストを作成する。
【００４２】
図４は、図３に示す操作履歴に基づいて、ショートカット作成部１４４が作成した第１のショートカットリストの例を示す。図示のように、例えば、月曜日の６時に対応して、「チャネル１＋字幕オン」のショートカットが作成されており、月曜日の７時１５分に対応して、「チャネル２」のショートカットが作成されている。また、月曜日の８時に、「チャネル３＋字幕オフ」のショートカットが作成されている。また、１４時と２１時に、「最新に録画した番組を再生」と「チャネル４＋副音声オン」のショートカットが夫々作成されている。
【００４３】
図５は、ショートカット作成部１４４が作成した第２のショートカットの例と示す。図示のように、「主婦向けの番組」、「幼児向け番組」、「海外ニュース番組」の夫々に対応して、「字幕オン」、「字幕オフ」、「副音声オン」のショートカットが作成されている。
【００４４】
ショートカット表示部１４６すなわち液晶パネル１３０は、図４に示す第１のショートカットリストから、現在の曜日における現在の時間の１０分前から１時間後までの１時間１０分内の各ショートカットを表示する。さらに、ショートカット表示部１４６は、情報提供装置１１０の電源オンがしており、情報提供装置１１０が情報を提供している場合に、図５に示す第２のショートカットリストから、情報提供装置１１０が現在提供している情報のジャンルに対応するショートカットを選択して表示する。
【００４５】
図６は、翌週の月曜日の朝５時半におけるリモートコントローラ１２０を示す。このとき、情報提供装置１１０の電源がオフである。
【００４６】
図示のように、このとき、リモートコントローラ１２０の液晶パネル１３０に、「チャネル１＋字幕オン」のショートカットが表示されている。
【００４７】
本実施の形態において、液晶パネル１３０における点線の上部は、第１のショートカットリストから選択されたショートカットを表示する領域であり、点線の下部は、第２のショートカットリストから選択されたショートカットを表示する領域である。
【００４８】
図６の例では、情報提供装置１１０の電源がオフしているため、それにより情報の提供がなされておらず、視聴中の情報が無い。そのため、液晶パネル１３０の下部には、ショートカットの表示が無い。
【００４９】
図６に示す状態が６時まで続き、６時になると、母親は、リモートコントローラ１２０を操作して、情報提供装置１１０の電源をオンすると共に、液晶パネル１３０の上部に表示されているショートカット「チャネル１＋字幕オン」をタッチする。
【００５０】
リモートコントローラ１２０の補助装置１４０におけるショートカット実行部１４８は、ショートカット「チャネル１＋字幕オン」に対応する設定指示を情報提供装置１１０に送信する。これに応じて、情報提供装置１１０は、チャネル１の番組を字幕付きで放送することになる。
【００５１】
母親がチャネル１の番組を視聴している間に、液晶パネル１３０の下部に、第２のショートカットリストのうちの、主婦向け番組に対応するショートカット「字幕オン」が表示される。
【００５２】
図７は、６時３０分におけるリモートコントローラ１２０を示す。このとき、情報提供装置１１０の電源がオンであり、視聴中情報のジャンルが主婦向け番組である。図示のように、液晶パネル１３０の下部に、ショートカット「字幕オン」が表示されており、液晶パネル１３０の上部には、ショートカット「チャネル２」が表示されている。
【００５３】
図８は、この月曜日に、子供が早く起きたため、６時３０分にチャネルをチャネル３に変更して、幼児向け番組を視聴し始めたとする。この場合、リモートコントローラ１２０は、図８に示すようになる。
【００５４】
図示のように、この場合、液晶パネル１３０の上部は、図７の時と同様であるが、液晶パネル１３０の下部は、視聴中のジャンルに合わせて、「字幕オフ」のショートカットが表示される。
【００５５】
そのため、子供は、設定メニューを開くなどの操作をせずに、「字幕オフ」のショートカットをタッチするだけで字幕をオフにすることができる。
【００５６】
このように、補助装置１４０は、リモートコントローラ１２０の操作履歴に基づいて、曜日及び時間毎にショートカットを作成し、作成したショートカットのうちの、現在の曜日における現在の時間を含む所定長の期間内の各ショートカットをユーザに提示する。また、提示したいずれかのショートカットがユーザにより指定されたときに、該ショートカットに対応する設定指示を情報提供装置１１０に送信することにより情報提供装置１１０に実行させる。
【００５７】
テレビ機などの情報提供装置は、複数のユーザがいても、誰が使用するか、誰がどのような情報をどのように視聴するかなどの使用態様が曜日及び時間帯に応じてパターン化されていることが多い。
【００５８】
従って、本実施の形態にかかる情報システム１００では、情報提供装置１１０のパターン化された使用態様に応じて、そのときに視聴される可能性の高い情報（チャネルや録画番組など）、及び該情報を視聴する際に使用される可能性の高い設定（字幕オン／オフなど）を示す設定指示がショートカットとしてユーザに提示され、ユーザは、ショートカットを指定するだけで、所望の情報及び設定を実現することができる。
【００５９】
また、現在の曜日及び時刻に応じたショートカットと共に、視聴中の情報のジャンルに対応する設定指示もショートカットとしてユーザに提示するされるため、例えば、図８に示すような、現在の設定が、視聴中の情報のジャンルについて使用される可能性の高い設定ではない場合において、ユーザは、ショートカットを指定するだけの簡単な操作で、所望の設定に切り替えることができる。
【００６０】
なお、情報提供装置１１０の使用期間が経過するにつれ、補助装置１４０に蓄積された操作履歴も増えていく。そのため、第１のショートカットリストと第２のショートカットリストに含まれるショートカットの数も増える。同一の曜日の同一の時刻において、異なる操作が行われる場合がある。
【００６１】
例えば、図３に示すように、第１の月曜日の朝６時に、母親が「チャネル１＋字幕オン」の操作をしたため、それに応じたショートカットが作成される。第２の月曜日の朝６時には、母親がリモートコントローラ１２０に表示された該ショートカットを指定することにより、チャネル１の番組を「字幕オン」の設定で視聴する。一方、第３の月曜日の朝６時には、父親が早く起きたため、チャネル２のニュース番組を視聴するためにチャネル２を選択する操作をする。この場合、月曜日の朝６時に対応して、「チャネル１＋字幕オン」のショートカットと、「チャネル２」のショートカットが作成される。
【００６２】
前述したように、ショートカット作成部１４４は、既に作成された各ショートカットについてユーザにより選択された履歴（ショートカット選択履歴）も記憶する。上述したような、同一の同一の時刻に対応するショートカットが複数ある場合には、ショートカット表示部１４６は、この複数のショートカットのうちの、選択された回数が多いショートカットほど、または最後に選択された時期が新しいショートカットほど、優先的にショートカット実行部１４８に表示させる。
【００６３】
ここで、「優先的に表示させる」とは、例えば、複数のショートカットのうちの、選択された回数が多いショートカットほど、または最後に選択された時期が新しいショートカットほど選択しやすいように（上や左などに）表示させることや、選択された回数が最も多いショートカットのみ、または最後に選択された時期が最も新しいショートカットのみを表示させることなどを意味する。
【００６４】
同様に、同一のジャンルに対応するショートカットが複数ある場合においても、ショートカット作成部１４４は、この複数のショートカットのうちの、選択された回数が多いショートカットほど、または最後に選択された時期が新しいショートカットほど、優先的にショートカット実行部１４８に表示させる。
【００６５】
＜その他の実施の形態＞
第１の実施の形態の情報システム１００では、補助装置１４０の全ての機能ブロックがリモートコントローラ１２０に設けられている。補助装置１４０の機能を果たすことができれば、補助装置１４０の各機能ブロックは、全て情報提供装置１１０に設けられるようにしてもよいし、一部が情報提供装置１１０に、他の部分がリモートコントローラ１２０に設けられるようにしてもよい。
【００６６】
例えば、操作履歴記憶部１４２、ショートカット作成部１４４、ショートカット実行部１４８をリモートコントローラ１２０に設け、ショートカット表示部１４６を情報提供装置１１０に設けるようにすることができる。
【００６７】
この場合、ショートカット作成部１４４は、第１のショートカットリストと第２のショートカットリストのうちの、表示すべき各ショートカットに夫々対応する設定指示を情報提供装置１１０に送信し、情報提供装置１１０は、受信した情報が示す各設定指示に夫々対応するショートカットを自身の表示装置（テレビ表示画面）に表示するようにすればよい。そして、ユーザがリモートコントローラ１２０を操作して、情報提供装置１１０の表示装置に表示されたいずれかのショートカットを指定した際に、リモートコントローラ１２０に設けられたショートカット実行部１４８は、このショートカットに対応する設定指示を情報提供装置１１０に送信する。
【００６８】
このようにして補助装置１４０を構成した場合、リモートコントローラが液晶パネル１３０のような表示装置を備えていない情報システムの場合においても、情報システム１００と同様の効果を得ることができる。
【００６９】
補助装置１４０の全ての機能ブロックを情報提供装置１１０に設けるようにした場合、情報提供装置１１０の表示装置がショートカット表示部１４６を兼ねる。ユーザがリモートコントローラ１２０を操作して、情報提供装置の表示装置に表示されたいずれかのショートカットを指定した際に、情報提供装置に設けられたショートカット実行部１４８は、リモートコントローラからの指示なしに、直ちに該ショートカットに対応する設定指示に応じた処理を情報システムに実行させる。
【００７０】
このようにして補助装置１４０が構成された情報システムも、情報システム１００と同様の効果を得ることができる。
【００７１】
以上、実施の形態をもとに本発明を説明した。実施の形態は例示であり、本発明の主旨から逸脱しない限り、上述した各実施の形態に対してさまざまな変更、増減、組合せを行ってもよい。これらの変更、増減、組合せが行われた変形例も本発明の範囲にあることは、当業者に理解されるところである。
【００７２】
例えば、情報システム１００において、リモートコントローラ１２０は、レコーダ１１２が内蔵されたテレビ機である情報提供装置１１０のみを制御するものである。内蔵の態様ではなく、レコーダとテレビ機がケーブルを介して接続され、一台のリモートコントローラにより制御されるシステムの場合にも、本発明の補助装置を適用することができる。このような場合、通常、テレビ機の設定をするためには、まず、リモートコントローラ側で設定対象機器をテレビ機に切り替え、レコーダの設定をするためには、まず、リモートコントローラ側で設定対象機器をレコーダ側に切り替える必要がある。本発明の補助装置を適用すれば、設定対象機器の切替え操作もショートカットに含めることができるため、このようなシステムにおいても効果を発揮する。
【符号の説明】
【００７３】
１００  情報システム
１１０  情報提供装置（テレビ機）
１１２  レコーダ
１２０  リモートコントローラ
１２２  電源オンボタン
１２４  電源オフボタン
１２６  操作ボタン
１３０  液晶パネル
１４０  補助装置
１４２  操作履歴記憶部
１４４  ショートカット作成部
１４６  ショートカット表示部
１４８  ショートカット実行部
【図１】
2015053642.tif 000003
【図２】
2015053642.tif 000004
【図３】
2015053642.tif 000005
【図４】
2015053642.tif 000006
【図５】
2015053642.tif 000007
【図６】
2015053642.tif 000008
【図７】
2015053642.tif 000009
【図８】
2015053642.tif 000010